(57)【特許請求の範囲】
【請求項１】
商品を収容する本体と、この本体に一側を回動自在に枢支され、本体の前面開口を覆う扉とを備えた自動販売機において、
前記扉に一端を回動自在に枢支されたアーム部材と、前記本体に設けられた台板部材と、この台板部材の長手方向に渡って形成され、前記アーム部材の他端が回動且つ移動自在に係合する溝と、この溝から連続して分岐し、相互に所定の間隔を存して形成されると共に、前記アーム部材の他端が進入可能な寸法を有した複数の係止部と、任意のこれら係止部に対応して前記台板部材に着脱可能に設けられ、前記アーム部材の他端を対応する前記係止部内に押圧する付勢部材とを備えたことを特徴とする自動販売機。
【請求項２】
各係止部は溝の扉側の縁部に形成され、アーム部材の回動支点を中心とした円弧状とされると共に、付勢部材は本体側からアーム部材の他端を前記係止部内に押圧することを特徴とする請求項１の自動販売機。
【請求項３】
付勢部材はコイルバネから成り、任意の係止部に対応して台板部材に着脱可能に取り付けられる固定部材に取り付けられていることを特徴とする請求項１又は請求項２の自動販売機。
【発明の詳細な説明】
【０００１】
【発明の属する技術分野】
本発明は、商品を収容する本体の前面開口を扉にて覆って成る自動販売機に関するものである。
【０００２】
【従来の技術】
従来よりこの種自動販売機は、例えば特開平８−８７６６１号公報（Ｇ０７Ｆ９／００）に示される如く、本体の収納庫内に取り付けた商品ラック（商品収納棚）内に商品が収納されており、所定の販売指令に基づき、前面扉（外扉）に形成した販売口（商品取出口）に商品を排出して販売する方式が採られている。
【０００３】
この前面扉は一側を本体に回動自在に枢支されており、商品の補充を行う場合やメンテナンスの際にはこの前面扉を開いて作業を行うものであるが、作業中に前面扉が回動してしまうと作業が困難となると共に危険であるため、例えば、実開平１−１５０７８２号公報（Ｅ０５Ｃ１７／２８）に示される如く扉の回動を規制するアームを扉と本体間に渡って取り付けている。
【０００４】
特にこの公報の場合は、アームの一端は扉に回動自在に枢支されており、他端は本体に取り付けられた溝枠に形成された案内溝に摺動自在に係合されている。そして、案内溝には所定間隔で複数の孔部が形成されており、もう一つの溝枠をバネにてアームの他端に常時押し付け、何れかの孔部内にてアームの他端（円筒部）を係止させることにより、自動販売機の設置状況に応じ、扉を複数の回動角度に静止させることができるようにしていた。
【０００５】
【発明が解決しようとする課題】
しかしながら、係る構成では常時両溝枠にてアームの他端を押圧しているので、バネ力が強過ぎるとアームの移動が円滑に行えなくなって、扉の開閉が重くなると共に、逆にバネ力が弱いと今度はアームの他端が孔部から簡単に外れてしまうようになり、危険なものとなるため、バネ力の調整が難しくなる。
【０００６】
また、常時アームの他端をバネ力にて押圧しているため、アームの他端（円筒部）を目標とする孔部（目標とする回動角度の孔部）に合わせる際、当該孔部を探し、それに目がけてアームの他端を移動させなければならず、操作が極めて煩雑となる問題があった。
【０００７】
本発明は、係る従来の技術的課題を解決するために成されたものであり、扉を目標とする回動角度にて確実且つ容易に静止させることができる自動販売機を提供することを目的とする。
【０００８】
【課題を解決するための手段】
即ち、本発明の自動販売機は、商品を収容する本体と、この本体に一側を回動自在に枢支され、本体の前面開口を覆う扉とを備えたものであって、扉に一端を回動自在に枢支されたアーム部材と、本体に設けられた台板部材と、この台板部材の長手方向に渡って形成され、アーム部材の他端が回動且つ移動自在に係合する溝と、この溝から連続して分岐し、相互に所定の間隔を存して形成されると共に、アーム部材の他端が進入可能な寸法を有した複数の係止部と、任意のこれら係止部に対応して台板部材に着脱可能に設けられ、アーム部材の他端を対応する係止部内に押圧する付勢部材とを備えているものである。
【０００９】
本発明によれば、商品を収容する本体と、この本体に一側を回動自在に枢支され、本体の前面開口を覆う扉とを備えた自動販売機において、扉に一端を回動自在に枢支されたアーム部材を設け、本体には台板部材を設けて、この台板部材にはその長手方向に渡ってアーム部材の他端が回動且つ移動自在に係合する溝を形成し、この溝から連続して分岐し、相互に所定の間隔を存して形成されると共に、アーム部材の他端が進入可能な寸法を有した複数の係止部を形成し、且つ、任意のこれら係止部に対応して台板部材に着脱可能に設けられ、アーム部材の他端を対応する係止部内に押圧する付勢部材を設けたので、扉が目標とする回動角度となる所定の係止部に対応して、予め付勢部材を取り付けて置くことにより、扉を回動させる操作のみにて、自動的に目標とする回動角度にてアーム部材の他端が係止部に進入して係止され、扉は静止するようになる。
【００１０】
これにより、扉を目標とする回動角度に静止させる操作が極めて容易となり、商品補充やメンテナンス作業性が著しく向上する。特に、常時バネにてアームを押圧するものではないので、アーム部材の動作も円滑で扉の開閉が軽くなると共に、構造も簡単であり、生産コストも低く抑えられるものである。
【００１１】
請求項２の発明の自動販売機は、上記において各係止部は溝の扉側の縁部に形成され、アーム部材の回動支点を中心とした円弧状とされると共に、付勢部材は本体側からアーム部材の他端を係止部内に押圧するものである。
【００１２】
請求項２の発明によれば、上記に加えて各係止部は溝の扉側の縁部に形成され、アーム部材の回動支点を中心とした円弧状とされると共に、付勢部材は本体側からアーム部材の他端を係止部内に押圧するようにしたので、扉を開放してアーム部材の他端が付勢部材に至ると、アーム部材の他端は付勢部材に押圧され、アーム部材の回動中心を中心として回動し、円滑に係止部内に移動するようになる。また、扉を閉めるに当たって係止部からアーム部材の他端を外す際には、付勢部材の付勢力に抗してアーム部材を本体側に押圧するだけで、アーム部材の他端は係止部内から離脱するようになる。
【００１３】
従って、扉を開放して静止させ、且つ、静止した状態から閉じる両作業を極めて簡単に行えるようになり、総じて扉の開閉操作が極めて容易なものとなるものである。
【００１４】
請求項３の発明の自動販売機は、前記各発明において付勢部材はコイルバネから成り、任意の係止部に対応して台板部材に着脱可能に取り付けられる固定部材に取り付けられているものである。
【００１５】
請求項３の発明によれば、前記各発明に加えて付勢部材はコイルバネから成り、任意の係止部に対応して台板部材に着脱可能に取り付けられる固定部材に取り付けられているので、付勢部材の薄型化による装置全体の小型化が図れると共に、付勢部材の取付位置変更も容易に行えるようになるものである。
【００１６】
【発明の実施の形態】
次に、本発明の実施形態を図面に基づき詳述する。図１は本発明の実施例としての自動販売機１の一部切欠正面図、図２は自動販売機１下部の平断面図である。
【００１７】
各図において、実施例の自動販売機１は缶飲料等を冷却或いは加温販売するものであり、前面に開口した断熱箱体から成る本体２と、この本体２に一側を回動自在に枢支され、本体２の前面開口を開閉自在に覆う前面扉３とから構成されている。この前面扉３には、複数の商品見本ＳＰ・・が陳列された商品ディスプレイ４が設けられており、商品ディスプレイ４の側方には、紙幣投入口６、金額表示器７、硬貨投入口８及び返却レバー１１などが設けられている。また、商品ディスプレイ４の前面には、各商品見本ＳＰの下側に対応させて、選択ボタン１２がそれぞれ設けられており、前面扉３の下部には販売口１３や硬貨返却口９が形成されている。
【００１８】
この前面扉３の後方本体２内には商品収納庫１４が形成され、この商品収納庫１４内には、図示しない複数の商品ラックが吊下される。各商品ラック内には、上下方向に延在する商品通路が構成されており、各商品通路内に商品が装填される。そして、所定の販売指令に基づき、各商品通路下端の商品排出口に取り付けられたベンドメカが動作して商品を販売口１３に排出するものである。
【００１９】
ここで、前記前面扉３は、本体２の向かって左側上下に取り付けられたヒンジピン２１にて向かって左側を回動自在に枢支されており、この前面扉３の下部左側には、前記ヒンジピン２１より右上方に位置してアーム部材２４の一端２２が回動自在に枢支されている。このアーム部材２４は直径１０ｍｍ程のロッド（鋼棒）から構成されており、図１、図３に示される如く一端２２から垂下した後、水平に前面扉３の非枢支側に延在し、その他端２３は再び垂下する形状を呈している。
【００２０】
一方、本体２の内底面前端部には台板部材４１が固定されている。この台板部材４１は左右に長い断面略門型（図６）の鋼板にて構成されており、その上面４１Ａには長手方向（左右方向）に延在する溝２６が切削形成され、更に、ヒンジピン２１側に位置する溝２６には所定の間隔を存して係止部２７、２８、２９、３０が四カ所形成されている。
【００２１】
各係止部２７〜３０は図４の如く前面扉３が閉じた状態で前面扉３側となる溝２６の縁部に連続し、分岐して形成されると共に、係止部３０は最もヒンジピン２１側となり、その扉非枢支側に係止部２９が配置され、更にその先に係止部２８が、更にまたその先に係止部２７が配置される構成とされている。
【００２２】
尚、各係止部２７〜３０は、後述する如くアーム部材２４の他端２３が係合した状態で、それぞれアーム部材２４の一端２２（回動中心）を中心とした円弧状に形成されている。
【００２３】
更に、台板部材４１の上面４１Ａには溝２６の前後（両側）に、且つ、各係止部２７〜３０の左方にそれぞれ対応してネジ孔３１、３１、３２、３２、３３、３３、３４、３４が穿設されている。尚、３５は後述するバネ部材３６の逃げ孔である。そして、各ネジ孔３１〜３４には固定部材３７がネジ３８、３９によって着脱可能に固定されると共に、この固定部材３７には上記バネ部材３６が取り付けられている（図４）。
【００２４】
このバネ部材３６は線条を捲回したコイルバネから成り、一端部３６Ａが固定部材３７を貫通して下方に突出し、そこからネジ３８を回って再び延在し、捲回した後、他端部３６Ｂは固定部材３７の下側に潜り込む。このバネ部材３６の他端部３６Ｂは図５に示す如く溝２６上で前方に斜めに傾斜（以下、この部分を傾斜部４２と称す）した後、溝２６の前側で再び斜めにヒンジピン２１側に屈曲（以下、この部分を押圧部４３と称す）された形状を呈している。
【００２５】
バネ部材３６は、図４、図５の如く例えば固定部材３７がネジ孔３１、３１に固定された状態でその他端部３６Ｂの傾斜部４２は、係止部２７の入口右側の溝２６上方に対応して位置し、押圧部４３は係止部２７の上方に対応して位置している。
【００２６】
尚、バネ部材３６は固定部材３７が他のネジ孔３２、３２、又は、３３、３３、或いは、３４、３４に固定された場合にも、同様の状態で係止部２８、又は、係止部２９、或いは、係止部３０に対応するものである。
【００２７】
そして、アーム部材２４の他端２３はこの台板部材４１の溝２６に上から回動且つ移動自在に係合すると共に、その頭部は溝２６の幅よりも拡張され、容易には外れないように構成されている。また、各係止部２７〜３０はこの他端２３が進入可能な寸法に形成されているものとする。
【００２８】
以上の構成で、図２の如く前面扉３が閉じられた状態では、アーム部材２４の他端２３は台板部材４１の溝２６の右端に位置している。そして、商品の補充のため、或いは、メンテナンスのために前面扉３を図２中時計回りに回動し、開放して行くと、アーム部材２４も本体２前方に引っ張られるため、他端２３は溝２６内を左方向（ヒンジピン２１方向）に移動して行く。
【００２９】
やがて他端２３はバネ部材３６の他端部３６Ｂの傾斜部４２に当接する。そして、尚も前面扉３を回動すると他端２３はバネ部材３６の傾斜部４２を押し退けながら係止部２７の入口に向かい、次ぎに押圧部４３に至る。ここで、アーム部材２４はバネ部材３６の弾性によって図４中時計回りに回動され、押圧部４３により他端２３が係止部２７内に押し込まれる（図５）。
【００３０】
このとき、係止部２７はアーム部材２４の一端２２を中心した円弧状に形成されているので、他端２３は円滑に係止部２７内に進入する。そして、この状態では図４に示す如く前面扉３は約９０度回動した状態で静止される。また、アーム部材２４の他端２３はバネ部材３６の押圧部４３に押圧されているので、係止部２７に確実に係合しており、それによって、前面扉３は安定的に９０度の開放状態を維持される。
【００３１】
次ぎに、前面扉３を閉じる場合には、例えば足で図４の状態のアーム部材２４の他端２３を本体２方向に押圧すれば、他端２３はバネ部材３６の付勢力（バネ力）に抗して係止部２７から容易に離脱する。そして、傾斜部４２に至ると今度は付勢力が他端２３を溝２６内右方に押しやる方向に働くので、そのまま前面扉３を図４中反時計回りに回動させることにより、アーム部材２４の他端２３は溝２６内を右方向に移動し、最終的に図２の状態に復帰できる。
【００３２】
次ぎに、自動販売機１が設置された周囲の状況、例えば、近傍に電柱等が無いなど状況から前面扉３を更に例えば１１０度回動させたい場合には、予め固定部材３７をネジ孔３２、３２にネジ３８、３９により固定して置く。これにより、前面扉３を開放方向に回動して行くと、アーム部材２４の他端２３は係止部２７を通り過ぎたところで、前述と同様の作用でバネ部材３６の他端部３６Ｂによって今度は係止部２８内に押圧され、係合するようになる。この状態では図８の如く約１１０度の回動角度で前面扉３は静止される。
【００３３】
また、前面扉３を更に例えば１３５度回動させたい場合には、予め固定部材３７をネジ孔３３、３３にネジ３８、３９により固定して置く。これにより、前面扉３を開放方向に回動して行くと、アーム部材２４の他端２３は係止部２７、２８を通り過ぎたところで、前述と同様の作用でバネ部材３６の他端部３６Ｂによって今度は係止部２９内に押圧され、係合するようになる。この状態では図９の如く約１３５度の回動角度で前面扉３は静止される。
【００３４】
また、前面扉３を更に例えば１６０度回動させたい場合には、予め固定部材３７をネジ孔３４、３４にネジ３８、３９により固定して置く。これにより、前面扉３を開放方向に回動して行くと、アーム部材２４の他端２３は係止部２７、２８、２９を通り過ぎたところで、前述と同様の作用でアーム部材２４の他端２３はバネ部材３６の他端部３６Ｂによって今度は係止部３０内に押圧され、係合するようになる。この状態では図１０の如く約１６０度の回動角度で前面扉３は静止される。
【００３５】
このように本発明によれば、前面扉３が目標とする回動角度となる所定の係止部２７〜３０に対応して、予め固定部材３７を取り付けて置くことにより、前面扉３を回動させる操作のみにて、自動的に目標とする回動角度にてアーム部材２４の他端２３が係止部２７〜３０に進入して係止され、前面扉３は静止するようになる。
【００３６】
これにより、前面扉３を目標とする回動角度に静止させる操作が極めて容易となり、商品補充やメンテナンス作業性が著しく向上する。特に、常時バネにてアームを押圧するものではないので、アーム部材２４の動作も円滑で前面扉３の開閉が軽くなると共に、構造も簡単であり、生産コストも低く抑えられる。
【００３７】
また、バネ部材３６をコイルバネから構成し、任意の係止部２７〜３０に対応して台板部材４１に着脱可能に取り付けられる固定部材３７に取り付ける構成としたので、バネ部材３６の薄型化による装置全体の小型化が図れると共に、バネ部材３６の取付位置変更も容易に行えるようになる。また、アーム部材２４もロッドから構成しているので、溝２６の幅も小さくなり（実施例では１１〜１３ｍｍ程）、これによっても小型化に寄与できるようになるものである。
【００３８】
尚、上記実施例では缶飲料を販売する自動販売機に本発明を適用したが、それに限らず、タバコや冷凍食品などの各種商品を販売する自動販売機に本発明は有効である。
【００３９】
【発明の効果】
以上詳述した如く本発明によれば、商品を収容する本体と、この本体に一側を回動自在に枢支され、本体の前面開口を覆う扉とを備えた自動販売機において、扉に一端を回動自在に枢支されたアーム部材を設け、本体には台板部材を設けて、この台板部材にはその長手方向に渡ってアーム部材の他端が回動且つ移動自在に係合する溝を形成し、この溝から連続して分岐し、相互に所定の間隔を存して形成されると共に、アーム部材の他端が進入可能な寸法を有した複数の係止部を形成し、且つ、任意のこれら係止部に対応して台板部材に着脱可能に設けられ、アーム部材の他端を対応する係止部内に押圧する付勢部材を設けたので、扉が目標とする回動角度となる所定の係止部に対応して、予め付勢部材を取り付けて置くことにより、扉を回動させる操作のみにて、自動的に目標とする回動角度にてアーム部材の他端が係止部に進入して係止され、扉は静止するようになる。
【００４０】
これにより、扉を目標とする回動角度に静止させる操作が極めて容易となり、商品補充やメンテナンス作業性が著しく向上する。特に、常時バネにてアームを押圧するものではないので、アーム部材の動作も円滑で扉の開閉が軽くなると共に、構造も簡単であり、生産コストも低く抑えられるものである。
【００４１】
請求項２の発明によれば、上記に加えて各係止部は溝の扉側の縁部に形成され、アーム部材の回動支点を中心とした円弧状とされると共に、付勢部材は本体側からアーム部材の他端を係止部内に押圧するようにしたので、扉を開放してアーム部材の他端が付勢部材に至ると、アーム部材の他端は付勢部材に押圧され、アーム部材の回動中心を中心として回動し、円滑に係止部内に移動するようになる。また、扉を閉めるに当たって係止部からアーム部材の他端を外す際には、付勢部材の付勢力に抗してアーム部材を本体側に押圧するだけで、アーム部材の他端は係止部内から離脱するようになる。
【００４２】
従って、扉を開放して静止させ、且つ、静止した状態から閉じる両作業を極めて簡単に行えるようになり、総じて扉の開閉操作が極めて容易なものとなるものである。
【００４３】
請求項３の発明によれば、前記各発明に加えて付勢部材はコイルバネから成り、任意の係止部に対応して台板部材に着脱可能に取り付けられる固定部材に取り付けられているので、付勢部材の薄型化による装置全体の小型化が図れると共に、付勢部材の取付位置変更も容易に行えるようになるものである。
【図面の簡単な説明】
【図１】本発明の実施例の自動販売機の一部切欠正面図である。
【図２】図１の自動販売機下部の平断面図である。
【図３】アーム部材部分を切り欠いた図１の自動販売機の拡大正面図である。
【図４】アーム部材部分を切り欠いた図１の自動販売機の拡大平面図である。
【図５】固定部材と台板部材部分の図１の自動販売機の拡大平面図である。
【図６】台板部材の側面図である。
【図７】図５の固定部材及び台板部材のＡ−Ａ線断面図である。
【図８】前面扉を１１０度回動させた状態の図１の自動販売機の台板部材の平面図である。
【図９】前面扉を１３５度回動させた状態の図１の自動販売機の台板部材の平面図である。
【図１０】前面扉を１６０度回動させた状態の図１の自動販売機の台板部材の平面図である。
【符号の説明】
１  自動販売機
３  前面扉
１３  販売口
１４  商品収納庫
２３  他端
２４  アーム部材
２６  溝
２７、２８、２９、３０  係止部
３１、３２、３３、３４  ネジ孔
３６  バネ部材
３７  固定部材
【図１】
0003663822.tif 000002
【図２】
0003663822.tif 000003
【図３】
0003663822.tif 000004
【図４】
0003663822.tif 000005
【図５】
0003663822.tif 000006
【図６】
0003663822.tif 000007
【図７】
0003663822.tif 000008
【図８】
0003663822.tif 000009
【図９】
0003663822.tif 000010
【図１０】
0003663822.tif 000011